(57)【要約】【課題】スピーカから出力される音をより効果的に使用者に聞こえさせ、より好適なリラックス効果を付与することができるリラックス装置を提供する。【解決手段】身体支持部材１３はその幅方向外側より内側が凹形状をなす凹み部４０が形成され、背もたれ部３１には、制御部からの音信号を出力するとともに幅方向中心側に傾向されたスピーカ３４が設けられる。背もたれ部３１は、背もたれ部本体の上面側にスポンジ状部材３７を内包したクッション部３６を設けて構成される。そしてクッション部３６は、スピーカ３４の音出力方向に対応した部位のスポンジ状部材３７（低密度部材３７ａ）の密度がその他の部位（高密度部材３７ｂ）よりも低くなるように構成される。【選択図】図２
2010246834.tif 000002
【特許請求の範囲】
【請求項１】
使用者の身体を支持する座部及び該座部の後部に設けられる背もたれ部を有する身体支持手段と、該身体支持手段を少なくとも一方向に揺動動作させる揺動駆動手段と、該揺動駆動手段を制御してリラックス揺動を行う制御手段とを備えたリラックス装置であって、
前記身体支持手段はその幅方向外側より内側が凹形状をなす凹み部が形成され、
前記身体支持手段を構成する前記背もたれ部には、前記制御手段からの音信号を出力するとともに幅方向中心側に傾向されたスピーカが設けられたことを特徴とするリラックス装置。
【請求項２】
請求項１に記載のリラックス装置において、
前記背もたれ部は、背もたれ部本体の上面側にスポンジ状部材を内包したクッション部を設けて構成されるものであり、
前記クッション部は、前記スピーカの音出力方向に対応した部位の前記スポンジ状部材の密度がその他の部位よりも低くなるように構成されたことを特徴とするリラックス装置。
【請求項３】
請求項１又は２に記載のリラックス装置において、
前記背もたれ部の上面には、前記使用者の頭部を載置可能な枕部が設けられており、
前記スピーカは、前記背もたれ部の前記枕部と対応する位置に設けられたことを特徴とするリラックス装置。
【請求項４】
請求項３に記載のリラックス装置において、
前記枕部は、前記背もたれ部側である後面部位が前記凹み部に倣った凸部を有し、その反対側の前面部位が平坦になるよう構成されたことを特徴とするリラックス装置。
【請求項５】
請求項３又は４に記載のリラックス装置において、
前記枕部は、スポンジ状部材を内包し、前記スピーカの音出力方向に対応した部位の前記スポンジ状部材の密度が前記枕部のその他の部位よりも低くなるように構成されたことを特徴とするリラックス装置。
【請求項６】
請求項１〜５のいずれか一項に記載のリラックス装置において、
前記背もたれ部は、背もたれ部本体の表皮材における前記スピーカの音出力方向に対応した部位に貫通孔が形成されたことを特徴とするリラックス装置。
【請求項７】
請求項１〜６のいずれか一項に記載のリラックス装置において、
前記身体支持手段は、振動を発生させる振動発生部を備え、
前記制御手段は、前記スピーカから出力される音、及び前記振動発生部から発生される振動の少なくとも一方を前記揺動動作に合わせるよう制御したことを特徴とするリラックス装置。
【請求項８】
請求項１〜７のいずれか一項に記載のリラックス装置において、
前記使用者による操作が可能であるとともにその操作に基づいて前記制御手段に指示を与えるための操作スイッチと、該操作スイッチを点灯可能な点灯部とを備えた操作部が設けられ、
前記制御手段は、前記操作部が操作可能状態であるときに前記点灯部を所定時間点灯状態とさせるとともに、前記所定時間経過後には前記点灯部を非点灯状態とさせて前記操作部を待機状態とし、更に前記所定時間経過後において前記操作部に触れられることで前記非点灯状態から点灯状態へと移行して前記操作部を操作可能状態となるように制御したことを特徴とするリラックス装置。
【請求項９】
請求項１〜７のいずれか一項に記載のリラックス装置において、
前記使用者による操作が可能であるとともにその操作に基づいて前記制御手段に指示を与えるための操作スイッチと、該操作スイッチを点灯可能な点灯部とを備えた操作部が設けられ、
前記制御手段は、前記操作部が操作可能状態であるときに前記点灯部を所定時間点灯状態とさせるとともに、前記所定時間経過後には前記操作部を待機状態として前記点灯部を非点灯状態と点灯状態とで繰り返し切り替えて点滅させるように制御したことを特徴とするリラックス装置。
【請求項１０】
請求項１〜１９のいずれか一項に記載のリラックス装置において、
前記制御手段は、揺動動作開始時における揺動動作の速度を揺動動作中において最も遅くなるように前記揺動駆動手段を制御したことを特徴とするリラックス装置。
【請求項１１】
請求項１０に記載のリラックス装置において、
前記制御手段は、揺動動作開始時から少なくとも３０秒までの期間において揺動動作の速度を０．３Ｈｚ以下となるように前記揺動駆動手段を制御したことを特徴とするリラックス装置。
【請求項１２】
請求項１〜１１のいずれか一項に記載のリラックス装置において、
前記使用者による操作が可能であるとともに、その操作に基づいて前記制御手段に指示を与える操作部が設けられ、該操作部は前記揺動動作の動作速度及び振幅の少なくとも一方を変更可能な揺動動作調整スイッチを備え、
前記制御手段には前記揺動動作中における所定時間において動作変更が規定された１つ以上の揺動動作コースが設けられ、前記制御手段は前記揺動動作調整スイッチが操作されて動作速度及び振幅の少なくとも一方が変更された前記揺動動作コース中においても前記所定時間において動作変更がなされるように前記揺動駆動手段を制御したことを特徴とするリラックス装置。
【発明の詳細な説明】
【技術分野】
【０００１】
本発明は、使用者にリラックス効果を付与するリラックス装置に関するものである。
【背景技術】
【０００２】
従来、例えば特許文献１に示すように、使用者の身体を支持する身体支持手段を前後方向に揺動させる揺動駆動手段と、身体支持手段の揺動動作の振幅を変更するように揺動駆動手段を制御する制御手段とを備え、揺動動作の振幅を適宜変化させることで使用者にリラックス効果を付与するリラックス装置がある。
【先行技術文献】
【特許文献】
【０００３】
【特許文献１】特開２０００−３００３７４号公報
【発明の概要】
【発明が解決しようとする課題】
【０００４】
ところで、上記リラックス装置では、身体支持手段を揺動動作させることで使用者に対してリラックス効果を付与しているが、揺動動作のみでのリラックス効果だけではその効果が低く、より効果的にリラックス効果を付与できるリラックス装置の開発が望まれている。
【０００５】
このような要望に応えるものとして、例えば身体支持手段にスピーカを内蔵して、スピーカから音（音楽）を流してリラックス効果を付与することが考えられる。しかしながら、スピーカの取り付け位置によってはスピーカから発生される音が聞こえづらく、スピーカからの音をより効果的に使用者に聞こえさせてより好適なリラックス効果を付与できるリラックス装置の開発が望まれている。
【０００６】
本発明は、上記課題を解決するためになされたものであって、その目的は、スピーカから出力される音をより効果的に使用者に聞こえさせ、より好適なリラックス効果を付与することができるリラックス装置を提供することにある。
【課題を解決するための手段】
【０００７】
上記課題を解決するために、請求項１に記載の発明は、使用者の身体を支持する座部及び該座部の後部に設けられる背もたれ部を有する身体支持手段と、該身体支持手段を少なくとも一方向に揺動動作させる揺動駆動手段と、該揺動駆動手段を制御してリラックス揺動を行う制御手段とを備えたリラックス装置であって、前記身体支持手段はその幅方向外側より内側が凹形状をなす凹み部が形成され、前記身体支持手段を構成する前記背もたれ部には、前記制御手段からの音信号を出力するとともに幅方向中心側に傾向されたスピーカが設けられたことをその要旨とする。
【０００８】
この発明では、身体支持手段はその幅方向外側より内側が凹形状をなす凹み部が形成され、背もたれ部には、制御手段からの音信号を出力するとともに幅方向中心側に傾向されたスピーカが設けられる。このように、凹み部を有した身体支持手段においてスピーカを幅方向中心側に傾向するように配置することで、身体支持手段の幅方向略中心位置において支持される使用者に対し、傾向配置されたスピーカからの音を良好に伝えることができる。これにより、使用者に対して音楽をより効果的に聞こえさせることができるため、より好適なリラックス効果を付与することができる。
【０００９】
請求項２に記載の発明は、請求項１に記載のリラックス装置において、前記背もたれ部は、背もたれ部本体の上面側にスポンジ状部材を内包したクッション部を設けて構成されるものであり、前記クッション部は、前記スピーカの音出力方向に対応した部位の前記スポンジ状部材の密度がその他の部位よりも低くなるように構成されたことをその要旨とする。
【００１０】
この発明では、背もたれ部は、背もたれ部本体の上面側にスポンジ状部材を内包したクッション部を設けて構成される。そしてクッション部は、スピーカの音出力方向に対応した部位のスポンジ状部材の密度がその他の部位よりも低くなるように構成される。つまり、クッション部に内包されたスポンジ状部材の密度をスピーカの音出力方向に対応した部位において、その他の部位よりも低くすることで、スピーカからの音楽（音）がクッション部を良好に通過することができるため、音楽をより効果的に使用者に聞こえさせることができる。
【００１１】
請求項３に記載の発明は、請求項１又は２に記載のリラックス装置において、前記背もたれ部の上面には、前記使用者の頭部を載置可能な枕部が設けられており、前記スピーカは、前記背もたれ部の前記枕部と対応する位置に設けられたことをその要旨とする。
【００１２】
この発明では、背もたれ部の上面には、使用者の頭部を載置可能な枕部が設けられており、スピーカは、背もたれ部の枕部と対応する位置に設けられる。このように、使用者の頭部が位置する枕部に対応してスピーカを配置することで、使用者にスピーカからの音楽を効果的に伝えることができる。
【００１３】
請求項４に記載の発明は、請求項３に記載のリラックス装置において、前記枕部は、前記背もたれ部側である後面部位が前記凹み部に倣った凸部を有し、その反対側の前面部位が平坦になるよう構成されたことをその要旨とする。
【００１４】
この発明では、枕部は、背もたれ部側である後面部位が凹み部に倣った凸部を有し、その反対側の前面部位が平坦になるよう構成される。このような構成とすることで、枕部の幅方向中央位置の厚みが厚く幅方向外側の厚みが薄くなるように枕部が構成されるため、背もたれ部において幅方向外側に配置されるスピーカからの音を良好に伝えるとともに、枕部の幅方向略中央位置に柔軟なクッション材（スポンジ状部材）を配することで枕部の幅方向中央位置のクッション性を良好とすることができる。
【００１５】
請求項５に記載の発明は、請求項３又は４に記載のリラックス装置において、前記枕部は、スポンジ状部材を内包し、前記スピーカの音出力方向に対応した部位の前記スポンジ状部材の密度が前記枕部のその他の部位よりも低くなるように構成されたことをその要旨とする。
【００１６】
この発明では、枕部は、スポンジ状部材を内包し、スピーカの音出力方向に対応した部位のスポンジ状部材の密度が枕部のその他の部位よりも低くなるように構成される。このような構成とすることで、枕部としてのクッション性を良好に維持しつつ、スピーカからの音をより効果的に伝えることができる。
【００１７】
請求項６に記載の発明は、請求項１〜５のいずれか一項に記載のリラックス装置において、前記背もたれ部は、背もたれ部本体の表皮材における前記スピーカの音出力方向に対応した部位に貫通孔が形成されたことをその要旨とする。
【００１８】
この発明では、背もたれ部には、背もたれ部本体の表皮材にスピーカの音出力方向に対応した部位に貫通孔が形成される。このような構成とすることで、スピーカからの音を表皮材にて阻害することを抑えることができる。
【００１９】
請求項７に記載の発明は、請求項１〜６のいずれか一項に記載のリラックス装置において、前記身体支持手段は、振動を発生させる振動発生部を備え、前記制御手段は、前記スピーカから出力される音、及び前記振動発生部から発生される振動の少なくとも一方を前記揺動動作に合わせるよう制御したことをその要旨とする。
【００２０】
この発明では、身体支持手段には、振動を発生させる振動発生部が備えられる。そして、制御手段は、スピーカから出力される音、及び振動発生部から発生される振動の少なくとも一方を揺動動作に合わせるように各部が制御される。このように、振動や音楽を揺動動作に合わせた動作とすることで、連動感が増し使用者に対してより効果的なリラックス効果を付与することができる。
【００２１】
請求項８に記載の発明は、請求項１〜７のいずれか一項に記載のリラックス装置において、前記使用者による操作が可能であるとともにその操作に基づいて前記制御手段に指示を与えるための操作スイッチと、該操作スイッチを点灯可能な点灯部とを備えた操作部が設けられ、前記制御手段は、前記操作部が操作可能状態であるときに前記点灯部を所定時間点灯状態とさせるとともに、前記所定時間経過後には前記点灯部を非点灯状態とさせて前記操作部を待機状態とし、更に前記所定時間経過後において前記操作部に触れられることで前記非点灯状態から点灯状態へと移行して前記操作部を操作可能状態となるように制御したことをその要旨とする。
【００２２】
この発明では、使用者による操作が可能であるとともにその操作に基づいて制御手段に指示を与えるための操作スイッチと、この操作スイッチを点灯可能な点灯部とを備えた操作部が設けられる。また、制御手段により、操作部が操作可能状態であるときに点灯部が所定時間点灯状態となるように制御される。また制御手段により、その所定時間経過後には点灯部が非点灯状態となるように制御されて操作部が待機状態とされる。更に制御手段により、所定時間経過後において操作部に触れられることで非点灯状態から点灯状態へと移行するように点灯部が制御されるとともに操作部が操作可能状態となるように制御される。つまり、待機状態である操作部を操作する際には一度操作部を触れた後に可能に構成したことで、揺動動作中に使用者の身体と操作部とが不意に触れてもそれによる揺動動作の設定変更がなされないようになる。このため、揺動動作中における誤操作を防止することが可能となり、誤操作による設定変更がなされ難くなることで装置としての安全性を向上させることが可能となる。
【００２３】
請求項９に記載の発明は、請求項１〜７のいずれか一項に記載のリラックス装置において、前記使用者による操作が可能であるとともにその操作に基づいて前記制御手段に指示を与えるための操作スイッチと、該操作スイッチを点灯可能な点灯部とを備えた操作部が設けられ、前記制御手段は、前記操作部が操作可能状態であるときに前記点灯部を所定時間点灯状態とさせるとともに、前記所定時間経過後には前記操作部を待機状態として前記点灯部を非点灯状態と点灯状態とで繰り返し切り替えて点滅させるように制御したことをその要旨とする。
【００２４】
この発明では、使用者による操作が可能であるとともにその操作に基づいて制御手段に指示を与えるための操作スイッチと、この操作スイッチを点灯可能な点灯部とを備えた操作部が設けられる。また、制御手段により、操作部が操作可能状態であるときに点灯部が所定時間点灯状態とされるとともに、所定時間経過後には操作部を待機状態として点灯部が非点灯状態と点灯状態とで繰り返し切り替えられて点滅されるように制御する。つまり、操作部に点灯部を設けて、操作部が待機状態である場合には点灯部を点滅させるように構成することで、点灯部にて操作部が待機状態であることを容易に知ることができる。
【００２５】
請求項１０に記載の発明は、請求項１〜９のいずれか一項に記載のリラックス装置において、前記制御手段は、揺動動作開始時における揺動動作の速度を揺動動作中において最も遅くなるように前記揺動駆動手段を制御したことをその要旨とする。
【００２６】
この発明では、制御手段により、揺動動作開始時における揺動動作の速度を揺動動作中において最も遅くなるように揺動駆動手段が制御される。つまり、揺動動作に慣れていない動作開始時において揺動速度を遅くすることで、所謂乗り物酔い等の発生を抑えて使用者に効果的なリラックス効果を付与することができる。
【００２７】
請求項１１に記載の発明は、請求項１０に記載のリラックス装置において、前記制御手段は、揺動動作開始時から少なくとも３０秒までの期間において揺動動作の速度を０．３Ｈｚ以下となるように前記揺動駆動手段を制御したことをその要旨とする。
【００２８】
この発明では、制御手段により、揺動動作開始時から少なくとも３０秒までの期間において揺動動作の速度を０．３Ｈｚ以下となるように揺動駆動手段が制御される。このように揺動動作に慣れていない動作開始時において揺動速度を遅くすることで、所謂乗り物酔い等の発生を抑えて使用者に効果的なリラックス効果を付与することができる。
【００２９】
請求項１２に記載の発明は、請求項１〜１１のいずれか一項に記載のリラックス装置において、前記使用者による操作が可能であるとともに、その操作に基づいて前記制御手段に指示を与える操作部が設けられ、該操作部は前記揺動動作の動作速度及び振幅の少なくとも一方を変更可能な揺動動作調整スイッチを備え、前記制御手段には前記揺動動作中における所定時間において動作変更が規定された１つ以上の揺動動作コースが設けられ、前記制御手段は前記揺動動作調整スイッチが操作されて動作速度及び振幅の少なくとも一方が変更された前記揺動動作コース中においても前記所定時間において動作変更がなされるように前記揺動駆動手段を制御したことをその要旨とする。
【００３０】
この発明では、使用者による操作が可能であるとともに、その操作に基づいて制御手段に指示を与える操作部が設けられる。そして、この操作部には、揺動動作の動作速度及び振幅の少なくとも一方を変更可能な揺動動作調整スイッチが備えられる。また、制御手段には揺動動作中における所定時間において動作変更が規定された１つ以上の揺動動作コースが設けられる。そして、制御手段は揺動動作調整スイッチが操作されて動作速度及び振幅の少なくとも一方が変更された揺動動作コース中においても所定時間において動作変更がなされるように揺動駆動手段を制御する。つまり、このように、揺動動作の動作速度が例えば標準速度から変更されても、所定時間において確実に動作変更が可能に構成されることで、コースの時間管理が容易となる。また、コースの時間管理を行うことで、制御手段による音楽等切り替えのタイミングを容易とすることができ、揺動動作と音楽との連動性が増してより効果的なリラックス効果を付与することができる。
【発明の効果】
【００３１】
本発明によれば、スピーカから出力される音をより効果的に使用者に聞こえさせ、より好適なリラックス効果を付与することができるリラックス装置を提供することができる。
【図面の簡単な説明】
【００３２】
【図１】本実施形態におけるリラックス装置の概略構成図。
【図２】（ａ）はリラックス装置の斜視図であり、（ｂ）は背もたれ部の断面図。
【図３】背もたれ部の表皮材とスピーカとの関係について説明するための説明図。
【図４】揺動動作コースについて説明するためのタイミングチャート。
【図５】（ａ）（ｂ）（ｃ）は、スポンジ状部材の材質について説明するための説明図。
【図６】操作部について説明するための説明図。
【図７】リラックス装置の電気的構成を説明するためのブロック図。
【発明を実施するための形態】
【００３３】
以下、本発明を具体化した一実施形態を図面に従って説明する。
図１は、本実施形態のリラックス装置の概略構成図を示す。図１に示すように、リラックス装置１０は、その基台１１の底部１１ａが図示しない床面に載置されるとともに、基台１１に設けられた揺動駆動手段としての揺動駆動装置１２と該揺動駆動装置１２により揺動される身体支持手段としての身体支持部材１３とを備えている。
【００３４】
揺動駆動装置１２は、モータ２０と、減速機２１と、クランク機構２２と、リンク部材２３とから構成されている。
モータ２０は、基台１１の底部１１ａ上面に設けられるとともに、前記底部１１ａ上面に設けられる制御手段としての制御部２４によりその駆動が制御されている。減速機２１は、基台１１の底部１１ａ上面に設けられるとともに、前記モータ２０と駆動連結され、モータ２０の駆動力を減速出力するものである。また、モータ２０には、エンコーダ等の位置センサ（図示略）が設けられており、その位置センサはその回転数及び回転位置を検出するようになっている。
【００３５】
クランク機構２２は、クランク部材２２ａとロッド部材２２ｂとから構成されるとともに、減速機２１の回転駆動を半径の極めて大きな円弧運動に変換するものである。クランク部材２２ａは、その基端が減速機２１の出力軸と一体回転可能に接続されるとともに、その先端がロッド部材２２ｂの基端と回転可能に接続されている。ロッド部材２２ｂの先端は、身体支持部材１３が固定される四角枠状のベース部２５の下部と接続されている。
【００３６】
前記基台１１には、その底部１１ａから上方向に突設される支持枠１１ｂが備えられており、２つのリンク部材２３はそれらの基端が各支持枠１１ｂ上部に所定間隔を有して回転可能に連結されるとともに、各先端がベース部２５の下部と回転可能に連結されている。つまり、この２本のリンク部材２３は、基端を中心として回動するようになっており、クランク機構２２からの駆動力を基に、ベース部２５に固定される身体支持部材１３をロッキングチェア等のように前後方向に揺動させている。
【００３７】
ベース部２５の上部には、椅子型の身体支持部材１３を構成する座部３０がベース部２５と一体移動可能に固定されており、この身体支持部材１３は、座部３０の後部に背もたれ部３１が、座部３０の前部にオットマン３２がそれぞれ一体的な構成をなしている。
【００３８】
図２（ａ）（ｂ）に示すように、身体支持部材１３を構成する座部３０、背もたれ部３１及びオットマン３２には、幅方向外側よりも幅方向内側（中央側）が凹形状となる凹み部４０が形成されている。この凹み部４０は、幅方向外側から幅方向内側にかけて次第に低く滑らかな曲面形状で形成されるとともに、背もたれ部３１からオットマン３２の全体に亘って凹み部４０が形成されている。
【００３９】
また、身体支持部材を構成する各部３０〜３２を構成する本体３０ａ〜３２ａ（座部本体３０ａ、背もたれ部本体３１ａ、オットマン本体３２ａ）は、各樹脂フレーム３０ｂ〜３２ｂが表皮材３０ｃ〜３２ｃにて覆われて構成されている。
【００４０】
また、図１及び図２（ａ）に示すように、身体支持部材１３構成する座部３０及び背もたれ部３１には、各本体３０ａ，３１ａの幅方向略中央位置に振動発生部としての振動トランスデューサ３３がそれぞれ１つずつ（計２つ）設けられている。このため、本実施形態のリラックス装置１０では振動を発生することが可能に構成されている。
【００４１】
また、背もたれ部３１の背もたれ部本体３１ａには、その上部側の左右両側に計２つのスピーカ３４が身体支持部材１３（背もたれ部３１）の幅方向中心側に傾向するように設けられている。そのため、スピーカ３４から発生される音は身体支持部材１３の幅方向外側から中心側に向かって発生されるようになっている。
【００４２】
また、図３に示すように表皮材３１ｃの表面は、前記スピーカ３４の音出力方向に対応して、つまり上面視においてスピーカ３４と重なる様に貫通孔３５が形成されており、スピーカ３４からの音を阻害することが抑制されている。
【００４３】
また、各表皮材３０ｃ〜３２ｃの表面には、これら全体を覆うクッション部３６が設けられている。このクッション部３６は、その内部に例えばウレタン等のスポンジ状部材３７が内包されて構成されており、使用者の身体に与える当たり感を低減させている。また、図２（ｂ）に示すように、クッション部３６は、背もたれ部３１に設けられたスピーカ３４の音出力方向（図にて一点鎖線にて図示）に対応した位置、つまり上面視においてスピーカ３４と重なる位置のスポンジ状部材３７の内で密度が低い低密度部材３７ａが配され、他部には低密度部材３７ａよりも密度の高い高密度部材３７ｂが配されて構成されている。
【００４４】
また、クッション部３６のスポンジ状部材３７は所謂連続気泡体構造となるように構成されている。ここで、連続気泡体構造について説明すると、図５（ａ）（ｂ）に示すように、部材内に複数の気泡を有し、これらの気泡同士が繋がった状態で構成されている。一方この連続気泡体構造に対して図５（ｃ）に示す独立気泡体構造は、部材内に複数の気泡を有し、これらの気泡同士が独立した、つまり繋がっていない状態に構成されている。そのため、独立気泡体構造のスポンジ状部材と比較すると、連続気泡体構造のスポンジ状部材を使用することで、スピーカ３４からの音（各図、矢印付きの実線にて図示）を効率よく部材内部を通過させることができる。特に、図５（ｂ）の連続気泡体構造のスポンジ状部材と比較して、図５（ａ）の様にスポンジ状部材の気泡数が少ない（つまり密度の低い）連続気泡体構造を採用することでその効果を大きくすることができる。
【００４５】
また、背もたれ部３１には、その上部側（座部３０とは反対側）の上面にウレタン等のスポンジ状部材３８を内包した枕部３９が設けられており、この枕部３９にて使用者の頭部を誘導するようになっている。また、この枕部３９は、背もたれ部３１の幅より若干小さく、且つ前記スピーカ３４の上面を覆う様に配置されている。
【００４６】
また、枕部３９は、身体支持部材１３（背もたれ部３１）の凹み部４０に沿ってその後面３９ａ側が凸状となる凸部３９ｂを備え、前面３９ｃ側が平坦形状となるように形成されている。また、枕部３９は、背もたれ部３１に設けられたスピーカ３４の音出力方向に対応した位置、つまりスピーカ３４の音出力方向と重なる位置のスポンジ状部材３８の内で密度が低い低密度部材３８ａが配され、他部には低密度部材３８ａよりも密度の高い高密度部材３８ｂが配されて構成されている。このため、枕部３９を配置しても図２（ａ）（ｂ）に示すスピーカ３４からの音を良好に通過させることができる。
【００４７】
また、図１及び図２（ａ）に示すように、身体支持部材１３の背もたれ部３１の側面には図示しない操作部ホルダにより着脱可能に支持される操作部４１が設けられている。
操作部４１には、図６に示すように、コース選択スイッチ５０、スイング調整スイッチ５１、リクライニング角度調整スイッチ５２、音量調整スイッチ５３、振動調整スイッチ５４、エアバッグ調整スイッチ５５及び始動スイッチ５６等を備えて構成される操作スイッチとしての各種スイッチ５０〜５６と、各種スイッチ５０〜５６を点灯状態及び非点灯状態に切り替え可能な点灯部５８とを備えている。
【００４８】
コース選択スイッチ５０は、記憶部４５に予め揺動動作の周波数及び振幅が設定された図示しないコーステーブルによって決定される複数のコース（本実施形態では、コースＡ、コースＢ、コースＣ及びコースＤの計４コース）の内から選択できるように複数のスイッチ５０ａ，５０ｂ，５０ｃ，５０ｄで構成されており、各スイッチ５０ａ〜５０ｄの選択によって、図７に示すように複数の揺動パターン（コース）が設定されたコース選択部６０から所定の制御信号が制御部２４に出力されるようになっている。
【００４９】
スイング調整スイッチ５１は、図７に示すように身体支持部材１３の揺動動作の速度（周波数）を調整する速度調整部６１と、揺動動作の振幅を調整する振幅調整部６２と電気的に接続されており、スイング調整スイッチ５１が使用者により操作されることで身体支持部材１３の揺動動作の速度（周波数）及び振幅が複数段階で変化されるようになっている。
【００５０】
リクライニング角度調整スイッチ５２は、使用者により操作されることで、図７に示すようにリクライニング調整の制御信号がリクライニング調整部６３を介して制御部２４に出力されるようになっており、その信号を受けた制御部２４はリクライニング駆動部１３ａを適宜制御して、身体支持部材１３のリクライニング角度を調整するようになっている。
【００５１】
音量調整スイッチ５３は、スピーカ３４の音量を調整するためのものであり、本実施形態では５段階の音量調整が可能となっている。また、振動調整スイッチ５４は、図１及び図２に示す振動トランスデューサ３３の振動度を調整するためのものであり、本実施形態では５段階の振動調整が可能となっている。また、エアバッグ調整スイッチ５５は、図示しないエアバッグの膨張量などを変更させるためのものであり、本実施形態では、５段階の膨張量の調整が可能となっている。
【００５２】
また、始動スイッチ５６は、リラックス装置１０を始動可能状態と始動不能状態とに切り替えるためのものであり、始動スイッチ５６が操作されて始動可能状態とすることで、制御部２４による各部の制御が可能な状態となる。
【００５３】
点灯部５８は、操作部４１のケースの透過室内に例えばＬＥＤ素子が内蔵されて構成されており、各スイッチ５０〜５６の内部と、各スイッチ５１，５３，５４，５５によって現時点での動作状態を示すべく設けられたレベル報知部５１ａ，５３ａ，５４ａ，５５ａとに設けられている。尚、揺動動作等の調整を行う各スイッチ５１〜５５の点灯部５８は、その状態が最大若しくは最小である場合に、該当の点灯部５８が非点灯状態となるように構成されている。また、点灯部５８は、制御部２４により、操作部４１が操作可能状態であるときに所定時間（例えば約５秒）点灯状態となるように制御される。また、点灯部５８は制御部２４により、その所定時間（約５秒）経過後には非点灯状態となるように制御されて操作部４１が待機状態とされる。更に制御部２４により、所定時間経過後において操作部４１に触れられることで非点灯状態から点灯状態へと移行するように点灯部５８が制御されるとともに操作部４１が操作可能状態となるように制御されている。
【００５４】
次に、上記の様に構成されたリラックス装置１０の動作について図１〜図５を用いて説明する。
本実施形態のリラックス装置１０では、上記操作部４１のコース選択スイッチ５０によって揺動動作の周波数の異なる複数の（本実施形態では４つの）コースが設定されており、コース選択スイッチ５０の操作によって、制御部２４は、揺動駆動装置１２を駆動して身体支持部材１３のリラックス揺動を実施するコース単独、若しくはそのリラックス揺動とスピーカ３４から発せられる音楽とを連動するコース等、各種のコースが設定されている。その中で、リフレッシュ機能を有するリラックス揺動コースがある。この作動モードでは、先ず使用者に対してリラックス効果を付与する「リラックス揺動」と、その「リラックス揺動」から使用者に対してリフレッシュ効果を付与する「リフレッシュ揺動」へと切り替わって作動モードが終了するようになっている。
【００５５】
また、本実施形態では、「リラックス揺動」及び「リフレッシュ揺動」が実施される［コースＡ］について図４を中心に説明する。尚、以下に説明する［コースＡ］は、揺動の動作速度が標準値に設定された状態、つまり操作部４１のスイング調整スイッチ５１が操作されていない（押されていない）状態でのコース例である。
【００５６】
［コースＡ］
先ず、制御部２４は、操作部４１からコースＡの選択がなされたことを示す信号が入力されると、使用者を覚醒状態からリラックス状態に導くように、身体支持部材１３の揺動動作の揺動速度（周波数）を例えば０．１Ｈｚから開始し、所定時間Ｔ１（例えば３０秒）までの間で０．３Ｈｚ以下となるようにモータ２０を制御する。尚、揺動動作開始時において、制御部２４は、必ず身体支持部材１３を前方へ動作させるようにモータ２０を制御する。そして、制御部２４は、所定時間Ｔ１経過後において、揺動速度を一度０．４Ｈｚ程度まで挙げた後に所定時間Ｔ２（揺動開始から３分）までの間で０．２Ｈｚとなるように段階的に揺動速度を遅くなるようにモータ２０を制御してリラックス揺動を行う。この時、制御部２４は、記憶部４５に記憶された内部音楽情報の内で、所定時間Ｔ２まで所定の音楽情報Ｉをスピーカ３４から出力させるようになっている。この時、制御部２４は内部音楽情報の音に合わせて振動トランスデューサ３３を振動させる。
【００５７】
そして、所定時間Ｔ２経過後、所定時間Ｔ３まで、制御部２４は、前記の最終動作、つまり身体支持部材１３をコースＡの周波数の下限値である周波数０．２Ｈｚとなるようにモータ２０を制御し、使用者を更にリラックス状態から催眠状態となるように揺動を続ける。また、所定時間Ｔ２，Ｔ３間では、制御部２４は、前述の音楽情報Ｉよりもテンポの緩やかな音楽情報Ｊをスピーカ３４から出力させるようになっている。つまり、制御部２４により揺動動作に合わせた音楽情報が選択されてスピーカ３４から出力されるようになっている。この時、制御部２４は内部音楽情報の音に合わせて振動トランスデューサ３３を振動させる。
【００５８】
所定時間Ｔ３経過後、制御部２４は、使用者を睡眠状態（リラックス状態）から覚醒状態へと導くように、揺動動作の周波数を０．２Ｈｚから０．４Ｈｚ以上（例えば０．６Ｈｚ）となるように段階的に変化させるべくモータ２０を制御してリフレッシュ揺動を行う。この時、制御部２４は、前記音楽情報Ｊよりもテンポが速く、前記音楽情報Ｉよりも音程が高めの音楽情報Ｋをスピーカ３４から出力させるようになっている。この時、制御部２４は内部音楽情報の音に合わせて振動トランスデューサ３３を振動させる。
【００５９】
上述したように、本実施形態のリラックス装置１０では、制御部２４により、各揺動コースに合わせて記憶部４５に記憶された内部音楽情報が選択され、発生手段としてのスピーカ３４を介して音楽が発生されるように構成されているため、コースに応じた音（音楽）及び振動を使用者に提供することができる。そのため、例えば従来の揺動動作によるリラックス効果に加え、その揺動動作に同調した音（音楽）及び振動によって使用者により効果的なリラックス効果を付与することが可能となる。
【００６０】
また、本実施形態のリラックス装置１０では、いずれのコースＡ〜Ｄにおいても使用者による操作部４１の操作にて揺動動作の動作速度（周波数）や振幅が標準値から変更された場合でも、予め設定された時間において確実に次の動作に切り替わって移行するように制御部２４にて揺動駆動装置１２が適宜制御されている。［コースＡ］に関する切り替え動作について以下に説明する。
【００６１】
［切り替え動作］
例えば、通常の動作速度である場合にコースＡでは予め設定されたコーステーブルの１ステップから順に実行されるようになっている。そして、例えば１回のステップにおいて前方若しくは後方のいずれか一方の動作がなされ、奇数ステップでは前方への揺動動作、偶数ステップでは後方への揺動動作がなされるように制御部２４にて揺動駆動装置１２が制御されている。
【００６２】
また、揺動動作が標準速度、つまり使用者によってスイング調整スイッチ５１が揺動動作開始前において一度も押されていない場合において、本実施形態のリラックス装置１０では、５１ステップ目で３分（所定時間時間Ｔ１）が経過する設定とされている。このような設定においては、例えば５１ステップ目（３分経過時）において、前述したように揺動の動作速度を０．３５Ｈｚから０．２Ｈｚに変更しなければならない。
【００６３】
ここで、例えば操作部４１によって揺動動作の周波数（速度）を通常速度よりも速い方に変更した状態（スイング調整スイッチ５１が少なくとも一度以上押された状態）で揺動動作を開始すると、３分未満で５１ステップ目が終了してしまう。しかしながら、本実施形態のリラックス装置１０では、制御部２４により図示しないタイマを利用して揺動開始時からの時間計測を行いつつ、５０ステップ目終了時において３分に達していない場合には、４９ステップと５０ステップとを３分に達するまで繰り返すように揺動駆動装置１２（モータ２０）が制御される。
【００６４】
また、例えば操作部４１によって揺動動作の周波数（速度）を通常速度よりも遅い方に変更した状態（スイング調整スイッチ５１が少なくとも一度以上押された状態）で揺動動作を開始すると、３分を超えても５１ステップ目が終了しないこととなる。しかしながら、本実施形態のリラックス装置では、制御部２４により前記タイマを利用して揺動開始時からの時間計測を行いつつ、３分を超えたら途中のステップをスキップし、強制的に５１ステップへと移行するように揺動駆動装置１２（モータ２０）が制御される。尚、スキップする際には、制御部２４により偶数ステップから５１ステップに移行するようになっている。これは、５１ステップが奇数ステップ、つまり前方への揺動動作であるために、後方への揺動動作から移行する必要があるからである。
【００６５】
上述した制御を行うことで、比較的違和感なく途中のステップをスキップさせて５１ステップへと好適に移行することができる。このような［切り替え動作］がなされることで、コースの時間管理を容易とすることができる。また、コースの時間管理がなされることで、容易に音楽との連動性を増すことができ、より効果的なリラックス効果を付与することができる。
【００６６】
また、本実施形態では、各コースＡ〜Ｄにおいて、制御部２４によりスピーカ３４から音楽を出力する際に、使用者の頭部が位置しやすい背もたれ部３１の幅方向中心側にスピーカ３４が傾向するよう配置されるため、スピーカ３４からの音を良好に伝えることでできる。背もたれ部３１は背もたれ部本体３１ａ（表皮材３１ｃ）の上面側にスポンジ状部材３７を内包したクッション部３６を設けて構成され、このクッション部３６は、スピーカ３４の音出力方向に対応した部位のスポンジ状部材３７（低密度部材３７ａ）の密度がその他の部位（高密度部材３７ｂ）よりも低くなるように構成される。つまり、クッション部３６に内包されたスポンジ状部材３７の密度をスピーカ３４の音出力方向に対応した部位においてその他の部位よりも低くすることで、スピーカ３４からの音楽（音）がクッション部３６を良好に通過することができるため、音楽をより効果的に使用者に聞こえさせることができる。
【００６７】
また背もたれ部３１の上面には、使用者の頭部を載置可能な枕部３９が設けられており、スピーカ３４は、背もたれ部３１の枕部３９と対応する位置に設けられる。このように、使用者の頭部が位置する枕部３９に対応してスピーカ３４を配置することで、使用者にスピーカ３４からの音楽を効果的に伝えることができる。また枕部３９は、背もたれ部３１側である後面３９ａ部位が凹み部４０に倣った凸部３９ｂを有し、その反対側の前面３９ｃ部位が平坦になるよう構成される。このような構成とすることで、枕部３９の幅方向中央位置の厚みが厚く幅方向外側の厚みが薄くなるように枕部３９が構成されるため、背もたれ部３１において幅方向外側に配置されるスピーカ３４からの音を良好に伝えるとともに、枕部３９の幅方向中央位置のクッション性を良好とすることができる。
【００６８】
枕部３９は、スポンジ状部材３８を内包し、スピーカ３４の音出力方向に対応した部位のスポンジ状部材３８（低密度部材３８ａ）の密度が枕部３９のその他の部位（高密度微罪３８ｂ）よりも低くなるように構成される。このような構成とすることで、枕部３９としてのクッション性を良好に維持しつつ、スピーカ３４からの音をより効果的に伝えることができる。背もたれ部３１を構成する背もたれ部本体３１ａは、樹脂フレーム３１ｂを表皮材３１ｃにて覆うように構成されるものであり、表皮材３１ｃには、スピーカ３４の音出力方向に対応した部位に貫通孔３５が形成される。このような構成とすることで、スピーカ３４からの音を表皮材３１ｃにて阻害することを抑えることができる。
【００６９】
また、制御部２４は、揺動動作開始する際（例えばコースＡ開始時）には、その最初の揺動方向が前方への動作となるように揺動駆動装置１２を制御している。このような構成とすることで、背もたれ部３１にて比較的安定して支持された使用者に違和感を与えることを抑え、効果的なリラックス効果を付与することができる。
【００７０】
次に、本実施形態の特徴的な作用効果を記載する。
（１）身体支持手段としての身体支持部材１３はその幅方向外側より内側が凹形状をなす凹み部４０が形成され、背もたれ部３１には、制御部２４からの音信号を出力するとともに幅方向中心側に傾向されたスピーカ３４が設けられる。このように、凹み部４０を有した身体支持部材１３においてスピーカ３４を幅方向中心側に傾向するように配置することで、身体支持部材１３の幅方向略中心位置において支持される使用者に対し、傾向配置されたスピーカ３４からの音を良好に伝えることができる。これにより、使用者に対して音楽をより効果的に聞こえさせることができるため、より好適なリラックス効果を付与することができる。
【００７１】
（２）背もたれ部３１は、背もたれ部本体３１ａの上面側にスポンジ状部材３７を内包したクッション部３６を設けて構成される。そしてクッション部３６は、スピーカ３４の音出力方向に対応した部位のスポンジ状部材３７（低密度部材３７ａ）の密度がその他の部位（高密度部材３７ｂ）よりも低くなるように構成される。つまり、クッション部３６に内包されたスポンジ状部材３７の密度をスピーカの音出力方向に対応した部位（低密度部材３７ａ）においてその他の部位（高密度部材３７ｂ）よりも低くすることで、スピーカ３４からの音楽（音）がクッション部３６を良好に通過することができるため、音楽をより効果的に使用者に聞こえさせることができる。
【００７２】
（３）背もたれ部３１（クッション部材３６）の上面には、使用者の頭部を載置可能な枕部３９が設けられており、スピーカ３４は、背もたれ部３１の枕部３９と対応する位置に設けられる。このように、使用者の頭部が位置する枕部３９に対応してスピーカ３４を配置することで、使用者にスピーカ３４からの音楽を効果的に伝えることができる。
【００７３】
（４）枕部３９は、背もたれ部３１側である後面３９ａ部位が凹み部４０に倣った凸部３９ｂを有し、その反対側の前面３９ｃ部位が平坦になるよう構成される。このような構成とすることで、枕部３９の幅方向中央位置の厚みが厚く幅方向外側の厚みが薄くなるように枕部３９が構成されるため、背もたれ部３１において幅方向外側に配置されるスピーカ３４からの音を良好に伝えるとともに、スポンジ状部材３８（高密度部材３８ｂ）を有する枕部３９の幅方向中央位置のクッション性を良好とすることができる。
【００７４】
（５）枕部３９は、スポンジ状部材３８を内包し、スピーカ３４の音出力方向に対応した部位のスポンジ状部材３８（低密度部材３８ａ）の密度が枕部３９のその他の部位（低密度部材３８ｂ）よりも低くなるように構成される。このような構成とすることで、枕部３９としてのクッション性を良好に維持しつつ、スピーカ３４からの音をより効果的に伝えることができる。
【００７５】
（６）背もたれ部３１には、背もたれ部本体３１ａの表皮材３１ｃにスピーカ３４の音出力方向に対応した部位に貫通孔３５が形成される。このような構成とすることで、スピーカ３４からの音を表皮材３１ｃにて阻害することを抑えることができる。
【００７６】
（７）身体支持部材１３を構成する座部３０及び背もたれ部３１には、振動を発生させる振動発生部としての振動トランスデューサ３３が備えられる。そして、制御部２４は、スピーカ３４から出力される音、及び振動トランスデューサ３３から発生される振動両方を揺動動作に合わせるようにスピーカ３４及び振動トランスデューサ３３が制御される。このように、振動や音楽を揺動動作に合わせた動作とすることで、連動感が増し使用者に対してより効果的なリラックス効果を付与することができる。
【００７７】
（８）使用者による操作が可能であるとともにその操作に基づいて制御部２４に指示を与えるための操作スイッチと、この操作スイッチの操作状態を示す点灯部とを備えた操作部が設けられる。そして、制御部２４により、操作部４１が操作可能状態であるときに点灯部５８が所定時間点灯状態となるように制御される。また制御部２４により、その所定時間経過後には点灯部５８が非点灯状態となるように制御されて操作部４１が待機状態とされる。更に制御部２４により、所定時間経過後において操作部４１に触れられることで非点灯状態から点灯状態へと移行するように点灯部５８が制御されるとともに操作部４１が操作可能状態となるように制御される。つまり、待機状態である操作部４１を操作する際には一度操作部４１を触れた後に可能に構成したことで、揺動動作中に使用者の身体と操作部４１とが不意に触れてもそれによる揺動動作の設定変更がなされないようになる。このため、揺動動作中における誤操作を防止することが可能となり、誤操作による設定変更がなされ難くなることで装置としての安全性を向上させることが可能となる。
【００７８】
（９）制御部２４により、揺動動作開始時における揺動動作の速度を揺動動作中において最も遅く（０．１Ｈｚ）なるように揺動駆動装置１２が制御される。つまり、揺動動作に慣れていない動作開始時において揺動速度を遅くすることで、所謂乗り物酔い等の発生を抑えて使用者に効果的なリラックス効果を付与することができる。
【００７９】
（１０）制御部２４により、揺動動作開始時から少なくとも３０秒までの期間において揺動動作の速度を０．３Ｈｚ以下となるように揺動駆動装置１２が制御される。このように揺動動作に慣れていない動作開始時において揺動速度を遅くすることで、所謂乗り物酔い等の発生を抑えて使用者に効果的なリラックス効果を付与することができる。
【００８０】
（１１）使用者による操作が可能であるとともに、その操作に基づいて制御部２４に指示を与える操作部４１が設けられる。そして、この操作部４１には、揺動動作の動作速度及び振幅の少なくとも一方を変更可能な揺動動作調整スイッチとしてのスイング調整スイッチ５１が備えられる。また、制御部２４には揺動動作中における所定時間において動作変更が規定された１つ以上の揺動動作コースが設けられる。そして、制御部２４はスイング調整スイッチ５１が操作されて動作速度が変更された揺動動作コース（コースＡ）中においても所定時間において動作変更がなされるように揺動駆動装置１２を制御する。つまり、このように、揺動動作の動作速度が例えば標準速度から変更されても、所定時間において確実に動作変更が可能に構成されることで、コースの時間管理が容易となる。また、コースの時間管理を行うことで、制御部２４による音楽等切り替えのタイミングを容易とすることができ、揺動動作と音楽との連動性が増してより効果的なリラックス効果を付与することができる。
【００８１】
（１２）制御部２４は、揺動動作開始する際には、その最初の揺動方向が前方への動作となるように揺動駆動装置１２を制御している。このような構成とすることで、背もたれ部３１にて比較的安定して支持された使用者に違和感を与えることを抑え、効果的なリラックス効果を付与することができる。
【００８２】
尚、本発明の実施形態は、以下のように変更してもよい。
・上記実施形態では、枕部３９及びクッション部３６のスポンジ状部材３７，３８のスピーカ３４の音出力方向と対応した部位（低密度部材３７ａ，３８ａ）の密度と他部（高密度部材３７ｂ，３８ｂ）の密度を異なるようにしたが、これに限らない。例えば現在のスピーカ３４の音出力方向と対応した部位（低密度部材）の密度をスポンジ状部材３７の，３８全体に亘って同一とした構成や、前記他部（高密度部材３７ｂ，３８ｂ）の密度をスポンジ状部材３７，３８の全体に亘って同一とした構成を採用してもよい。例えば、前者の構成の場合、スピーカ３４からの音を上記実施形態と同程度に使用者に提供することができる。
【００８３】
・上記実施形態では、各コースＡ〜Ｄにおける揺動動作開始時における動作速度をコース中の揺動動作の内で最も低くなるように構成したが、これに限らない。
・上記実施形態では、コースＡ，Ｂにおいて揺動動作開始時から３０秒までは動作速度を０．３Ｈｚ以下となるように構成したが、これに限らず、その他の速度（周波数）であってもよい。
【００８４】
また、０．３Ｈｚ以下となる期間を揺動動作開始時から３０秒までというように固定をせずに、各コースのコース時間の違いによって変更した構成を採用してもよい。また、使用者によって任意に設定可能な構成を採用してもよい。このような構成とすることで、使用者個々の個人差に対応することができる。
【００８５】
・上記実施形態では、スピーカ３４を背もたれ部３１の上部側（背もたれ部３１において座部３０とは反対側）に配置したが、背もたれ部３１の下部側に配置した構成を採用してもよい。
【００８６】
・上記実施形態では、枕部３９にてスピーカ３４を覆うような構成としたが、枕部３９にてスピーカ３４を覆わない程度に構成してもよい。
・上記実施形態では、枕部３９の後面３９ａ側を身体支持部材１３（背もたれ部３１）の凹み部４０に倣った凸状となるように凸部３９ｂを形成したが、これに限らず、凹状や平坦形状等、その他の形状であってもよい。
【００８７】
・上記実施形態では、枕部３９の前面３９ｃ側を平坦形状としたが、これに限らず、凹状や凸状等、その他の形状であってもよい。
・上記実施形態では、枕部３９を設けたが省略した構成を採用してもよい。
【００８８】
・上記実施形態では、制御部２４を操作する操作部４１を設ける構成としたが、操作部４１を省略した構成を採用してもよい。
・上記実施形態では、操作部４１に点灯状態と非点灯状態とを切り替え可能な点灯部５８を設け、制御部２４により所定時間（上記実施形態では５秒）経過後である操作部４１の待機状態において、非点灯状態となるように点灯部を制御したが、これに限らない。例えば、制御部２４により、所定時間経過後には操作部４１を待機状態として点灯部５８が非点灯状態と点灯状態とで繰り返し切り替えられて点滅されるように制御する。このような構成とすることで点灯部５８にて操作部４１が待機状態であることを容易に知ることができる。
【００８９】
・上記実施形態では、制御部２４から振動発生部としての振動トランスデューサ３３に音信号を出力し、スピーカ３４から発生させる音楽と合わせた振動を発生させることで間接的に揺動動作に合わせた振動を発生するように構成したが、これに限らない。
【００９０】
・上記実施形態では、振動トランスデューサ３３にて振動発生部を構成したが、これに限らない。例えば、モータ軸に重心を偏らせる重りを取り付けて回転させることで振動を発生させる、所謂バイブレータにて振動発生部を構成してもよい。また、振動発生部を省略した構成を採用してもよい。
【００９１】
・上記実施形態では、背もたれ部３１の表皮材３１ｃに貫通孔３５を設ける構成を採用したが、これに限らず、貫通孔３５を省略した構成を採用してもよい。
・上記実施形態では、予め記憶部４５に記憶された音楽情報を用いてスピーカ３４から音楽を出力させる構成としたが、例えば外部入力端子を操作部４１等に設けて、外部音源を利用する構成を採用してもよい。
【００９２】
・上記実施形態では、制御部２４により図示しないコーステーブルのステップ順に順次制御を行い、揺動動作速度の変更に伴ってステップを繰り返したり、ステップをスキップさせることで所定時間となったら次の動作に切り替わるように構成したが、これに限らない。また、上記所定時間について操作部４１に時間調整スイッチ５９を設け、この時間調整スイッチ５９にて調整可能に構成してもよい。このような構成とすることで使用者の好みの時間によって揺動動作を実現することができる。
【００９３】
・上記実施形態では、オットマン３２及び背もたれ部３１を傾動可能に構成したが、これら各部３１，３２の少なくとも一方を傾動不能にした構成を採用してもよい。
・上記実施形態では、オットマン３２を設けて身体支持手段としての身体支持部材１３を構成したが、オットマン３２を省略した構成を採用してもよい。
【００９４】
・上記実施形態では、身体支持部材１３を前後方向に揺動させる構成としたが、これに限らず、例えば身体支持部材１３を左右方向に揺動させる構成としてもよい。
【符号の説明】
【００９５】
１０…リラックス装置、１２…揺動駆動手段としての揺動駆動装置、１３…身体支持手段としての新他支持部、２４…制御部、３０…座部、３１…背もたれ部、３１ａ…背もたれ部本体、３１ｃ…表皮材、３３…振動発生部としての振動トランスデューサ、３４…スピーカ、３５…貫通孔、３６…クッション部、３７，３８…スポンジ状部材、３９…枕部、３９ｂ…凸部、４０…凹み部、４１…操作部、５０〜５６…操作スイッチとしてのスイッチ、５８…点灯部。
【図１】
2010246834.tif 000003
【図２】
2010246834.tif 000004
【図３】
2010246834.tif 000005
【図４】
2010246834.tif 000006
【図５】
2010246834.tif 000007
【図６】
2010246834.tif 000008
【図７】
2010246834.tif 000009